(57)【要約】    【課題】  工具を使用することなく、バッテリ端子とケーブル端子とを簡易に機械的，電気的に接続、切り離しができる接続器を提供する。    【解決手段】  バッテリの端子２１と電力ケーブル３１の端子３０との間を接続する中継端子型の接続器１であって、バッテリの端子２１に固定するためのバッテリ端子接続用の中継端子部１ｂと、電力ケーブル３１の端子３０を工具を使用しないで着脱可能に接続するためのケーブル端子接続用の中継端子部１ａと、を備えている。【選択図】  図４
2005122971.tif 000002
【特許請求の範囲】
【請求項１】
バッテリの端子と電力ケーブルの端子との間を接続する中継端子型の接続器であって、バッテリの端子に固定するためのバッテリ端子接続用の中継端子部と、電力ケーブルの端子を工具を使用しないで着脱可能に接続するためのケーブル端子接続用の中継端子部と、を備えていることを特徴とするバッテリターミナル用簡易接続器。
【請求項２】
前記バッテリ端子接続用の中継端子部と前記ケーブル端子接続用の中継端子部は、導電性のベースを介して一体に結合し、
前記バッテリ端子接続用の中継端子部は、ボルト，ナットを有し、ナットの締め付けによりバッテリ端子の外周に取り付け可能な環部によって構成され、
前記ケーブル端子接続用の中継端子部は、前記ベースに固定されてケーブル端子と嵌合するスリーブと、前記スリーブより外側に突出する雄ねじ部と、前記雄ねじに適合する雌ねじを有し前記雄ねじに着脱可能に取り付けられて、前記スリーブにケーブル端子が嵌合した場合に一面が前記ケーブル端子を押さえ付けるケーブル端子用押さえ部材と、を備えてなるバッテリターミナル用簡易接続器。
【請求項３】
請求項２記載において、導電性のカラーを有し、このカラーは、内周が前記ケーブル端子接続用中継端子部の前記スリーブの外周に適合し、外周が前記バッテリ端子接続用中継端子部の前記環部の内周に適合し得る形状をなして、このカラーを前記スリーブ及び前記環部に選択的に装着することで２種類のバッテリ端子径に対応可能にしたことを特徴とするバッテリターミナル用簡易接続器。
【請求項４】
請求項３記載において、前記カラーには、スリットが形成されているバッテリターミナル簡易接続器。
【請求項５】
請求項２記載において、前記ケーブル端子用押さえ部材は、円盤状をなしているバッテリターミナル簡易接続器。
【請求項６】
請求項３記載において、前記カラー及び前記スリーブの外周は、テーパ形状をなしているバッテリターミナル簡易接続器。
【請求項７】
請求項２ないし６のいずれか１項記載において、前記スリーブと前記ケーブル端子用押さえ部材との間にはスプリングが介在しているバッテリターミナル簡易接続器。
【発明の詳細な説明】
【技術分野】
【０００１】
本発明は、バッテリの端子と電力ケーブルの端子との間を接続するバッテリターミナル簡易接続器に関する。
【背景技術】
【０００２】
例えば自動車などの車載バッテリの端子（ポールポスト）と車両側の電力ケーブルの端子とを接続する場合には、通常は、特許文献１に示されるようにケーブル端子をバッテリ端子に直接取り付けていた。この場合のケーブル端子は、一般にボルトナットの締め付けにより径が締まる環状をなし、このケーブル端子をバッテリ端子に嵌め込み、ナットを締め付けることにより、ケーブル端子はバッテリ端子に固着されている。
【０００３】
ケーブル端子をバッテリ端子に取り付けたり、取り外す場合には、スパナなどの工具を使用していた。
【０００４】
ところで、自動車などの分野では、自動車の不使用時であっても、車載機器の一部に電力が供給されるため、電力が消費される。このような電力消費を防ぐために、或いは車両の盗難防止の見地から、人によっては自動車の不使用時にバッテリ端子とケーブル端子の電気的接続を解除することもある。このような事情の下では、工具を使用してバッテリ端子とケーブル端子を頻繁に接続したり切り離したりすることは、面倒な作業が伴い、さらに怪我、電気ショートなどの注意が必要である。そのため、簡易にバッテリ端子とケーブル端子を接続，切り離しできるニーズがある。
【０００５】
このようなニーズに応える従来技術として、バッテリ端子（特にマイナス端子）に、バッテリ端子とケーブル端子との間を中継的に接続するアダプタを装着し、このアダプタをスイッチ構造にして、必要に応じてバッテリ端子とケーブル端子間の電気的接続をカットオフする中継スイッチ技術が実用化されている。この中継スイッチ（アダプタ）は、一端がケーブル端子と接続され、他端がバッテリ端子にボルトナットの締め付けで締結される。また、アダプタは絶縁体を介在させた２枚の電極よりなり、この２枚の電極をねじ（導電性プラグ）によって抜き差しすることにより電気的結合、電気的絶縁を図る構造になっている。
【０００６】
【特許文献１】登録実用新案公報：実用新案登録第３０９６４０３号公報
【発明の開示】
【発明が解決しようとする課題】
【０００７】
前述したように、スイッチ構造のアダプタをバッテリ端子に装着することで、アダプタをいったん装着した後は、工具を使用することなく、導電性プラグの抜き差しによりバッテリ端子とケーブル端子の電気的接続を切ったり入れたりするものが提案されている。
【０００８】
この従来技術による、バッテリ端子とケーブル端子は、スイッチによりカットオフされても中継アダプタに機械的に接続しっ放しの状態になる。
【０００９】
本発明は、工具を使用することなく、しかも従来のような中継アダプタ（スイッチ構造）と異なる構成によって、バッテリ端子とケーブル端子とを簡易に機械的，電気的に接続、切り離しができるタイプの異なるバッテリターミナル用簡易接続器を提供することにある。
【００１０】
さらに、バッテリは、その容量によってバッテリ端子（ポールポスト）の太さが２種に分かれているが、一つの接続器でいずれの太さのバッテリ端子にも対応できるバッテリターミナル用簡易接続器を提供する。従来タイプのスイッチ構造の中継アダプタは、このような配慮に欠けていた。
【００１１】
さらに、振動などに強く信頼性の高いバッテリターミナル用簡易接続器を提供しようとするものである。
【課題を解決するための手段】
【００１２】
本発明のバッテリターミナル用簡易接続器は、基本的には、バッテリの端子と電力ケーブルの端子との間を接続する中継端子型の接続器である。また、バッテリの端子に固定するためのバッテリ端子接続用の中継端子部と、電力ケーブルの端子を工具を使用しないで着脱可能に接続するためのケーブル端子接続用の中継端子部と、を備えていることを特徴とする。
【００１３】
その具体的態様については、実施例に基づき後述する。
【発明の効果】
【００１４】
工具を使用することなく、しかも従来のような中継アダプタ（スイッチ構造）と異なる構成によって、バッテリ端子とケーブル端子とを必要に応じて電気的のみならず、簡易に機械的に接続、切り離しができる。
【発明を実施するための最良の形態】
【００１５】
図１は本発明の一実施例に係るバッテリターミナル用簡易接続器の正面図であり、バッテリ端子及びケーブル端子を接続していない市販状態を示している。図２および図３は、その分解斜視図であり、両図は構成は同じであるが、一部使用形態を変えた状態を示している。図４〜図６は、バッテリ端子およびケーブル端子を接続した状態を示している。図７〜図１１には、本実施例に係るバッテリターミナル用簡易接続器の各構成部品の平面図および正面図を示している。
【００１６】
本実施例に係るバッテリターミナル用簡易接続器は、本体となる導電性のベース１と、その一端に設けられたバッテリ端子接続用の中継端子部１ｂと、ケーブル端子接続用の中継端子部１ａとを備える。１ｃはベース１の脚部である。
【００１７】
バッテリ端子接続用の中継端子部１ｂとケーブル端子接続用の中継端子部１ａは、導電性のベース１を介して一体に結合されている。
【００１８】
バッテリ端子接続用の中継端子部１ｂは、ボルト８，ナット７を有し、ナット７の締め付けによりバッテリ端子（ポールポスト）２１（図４〜図６参照）の外周に取り付け可能な環部１ｂによって構成されている。この環部１ｂの仕様は、市販の２種類のバッテリ端子のうちの径の大きい仕様のポールポストに適合し得るようにしてある。環部１ｂは、一対の対向片１ｄを有し、この対向片１ｄにボルト８及びナット７を装着する。ナット７の締め付けや緩めによって環部１ｂが締まったり開放したりする。９は座金である。
【００１９】
ケーブル端子接続用の中継端子部１ａは、ベース１に固定されて電力ケーブル（例えば車両側ケーブル）３１のケーブル端子３０（図４〜図６参照）と嵌合可能なスリーブ３と、スリーブ３より外側に突出する雄ねじ２と、雄ねじ２に適合する雌ねじ６ａを有する円盤型のケーブル端子押さえ部材６とを備える。押さえ部材６は、その外周に縦目ローレットが形成されている。
【００２０】
押さえ部材６は、雄ねじ２に着脱可能に取り付けられ、スリーブ３或いは後述するカラー５にケーブル端子３０が嵌合した場合に、一面がケーブル端子３０を押さえ付ける。
【００２１】
雄ねじ２は、ボルト形で、図７（ｂ）に示すようにベース１の底部から通されてベース上に突出する。スリーブ３は、雄ねじ２に嵌合固定されている。スリーブ３とケーブル端子用押さえ部材６との間にはスプリング４が介在している。
【００２２】
導電性のカラー５は、内周がケーブル端子接続用中継端子部のスリーブ３の外周に適合し、外周がバッテリ端子接続用中継端子部の環部１ｂの内周に適合し得る形状をなしている。このカラー５をスリーブ３及び環部１ｂに選択的に装着することで２種類のバッテリ端子径に対応可能にしてある。
【００２３】
より具体的に詳述すれば、スリーブ３は、市販の２種類のバッテリのうち細い方のバッテリ端子（図６のポールポスト２１相当）とほぼ同径サイズをなしており、また、そのポールポストに合わせたテーパ形状をなしている。一方、カラー５は、外径が市販の２種類のバッテリのうち太い方のバッテリ端子（図５のポールポスト２１相当）とほぼ同径サイズをなしており、また、そのポールポストに合わせたテーパ形状をなしている。さらに、カラー５には、スリット５ａが形成されている。スリット５ａがあることにより、カラー５はバッテリ端子２１の太さの変化を吸収できるようにしてある。
【００２４】
カラー５およびスリーブ３は、例えば黄銅で形成されるが、種々の導電材料が考えられる。また、ベース１は種々の導電材料が考えられ、さらに耐食性を図るためにめっき処理されている。押さえ部材も、種々の導電材料が考えられ、めっき処理がされている。
【００２５】
次に本バッテリターミナル簡易接続器の使用方法について説明する。
【００２６】
本実施例のバッテリターミナル簡易接続器は、基本的には、安全性を配慮してバッテリ２０の端子のうちマイナス端子側に装着される。
【００２７】
図２及び図５（ａ），（ｂ）は、バッテリ端子が太いタイプの場合の使用形態である。
【００２８】
この場合には、カラー５は、スリーブ３（ケーブル端子用中継部側）に装着される。バッテリ端子２１に簡易接続器の環部１ｂを緩めた状態で嵌め込んだ後、スパナなどの工具でナット８を締め付けることで簡易接続器がバッテリ端子（マイナス端子）２１に装着される。一方、ケーブル端子３０もバッテリ端子に合わせて太い径仕様であるので、カラー５を介してスリーブ３にはめ込まれる。この場合、ケーブル端子３０は、カラー５への嵌合前にナット３３を予め適宜締め付けておくことで、カラー５に対する嵌め代は設定してある。この嵌め代は、ベース１とケーブル端子３０との間に１ｍｍ以上の隙間を確保できるように設定する。次いで押さえ部材６を手で締め付けると、押さえ部材の一面がスプリング４を圧縮しつつケーブル端子３０を押さえ付ける。ケーブル端子３０は、押さえ部材６の押し付け力（ねじの締め付け力）によりカラー５のテーパ面からの反力を受けて、ケーブル中継端子部１ａ位置に確実に固定される。また、スプリング４のばね力が押さえ部材６に作用することで、振動があっても押さえ部材６が経時的に緩むことを確実に防止する。なお、符号の３０ａは、ケーブル端子３０側の一対の締め付け用対向片である。
【００２９】
図３及び図６（ａ），（ｂ）は、バッテリ端子が細いタイプの場合の使用形態である。
【００３０】
この場合には、カラー５は、環部１ｂ（バッテリ端子用中継側）に装着される。バッテリ端子２１に簡易接続器の環部１ｂをカラー５を介して緩めた状態で嵌め込んだ後、スパナなどの工具でナット８を締め付けることで簡易接続器がバッテリ端子（マイナス端子）２１に装着される。一方、ケーブル端子３０は、バッテリ端子に合わせて細い径仕様であるので、スリーブ３に直接はめ込まれる。この場合も、ケーブル端子３０は、スリーブ３への嵌合前にナット３３を端子嵌合前に予め適宜締め付けておくことで、スリーブ３に対する嵌め代は設定してある。この嵌め代は、既述したようにベース１とケーブル端子３０との間に１ｍｍ以上の隙間を確保できるように設定する。次いで押さえ部材６を手で締め付けると、押さえ部材の一面がスプリング４を圧縮しつつケーブル端子３０を押さえ付ける。ケーブル端子３０は、押さえ部材６の押し付け力（ねじの締め付け力）によりスリーブ３のテーパ面からの反力を受けて、ケーブル中継端子部１ａに確実に固定される。また、スプリング４のばね力が押さえ部材６に作用することで、振動があっても押さえ部材６が経時的に緩むことを確実に防止する。
【００３１】
図４に簡易接続器をバッテリ端子２１に装着し、かつケーブル３１を簡易接続器に接続させた斜視図を示している。
【００３２】
簡易接続器１をバッテリ端子に装着した後は、押さえ部材６だけの手操作による着脱だけて必要に応じて車両側ケーブル端子３０の機械的，電気的な接続、切り離しが可能になる。この場合、車両側ケーブル端子３０を簡易接続器から切り離す場合には、押さえ部材６を緩め雄ねじ２から取り去り、次いでケーブル端子３０を上に引き上げれば、ケーブル端子３０は、予め適宜の締め代にしてあるのでスリーブ３或いはカラー５から容易に離れる。
【００３３】
本実施例によれば、次のような効果を奏する。
（１）押さえ部材６を採用したことで、ケーブル端子３０の着脱に工具が不要となる。
（２）ケーブル３１を外した後、押さえ部材６を元の位置に締めておけば、押さえ部材６の紛失防止を図れる。
（３）スプリング４を押さえ部材６とスリーブ３との間に介在させることで、押さえ部材６が振動などで経時的に緩むことを防止できる。
（４）カラー５を採用することで、バッテリ端子の太さが異なる場合でも、この接続器だけで対応することができる。
（５）カラー５にスリット５ａを設けることで、バッテリ端子の太さの変化（ばらつき）を吸収できる。
（６）スリーブ３およびカラー５の外径にテーパを採用したことで、ケーブル端子３０を簡易接続器の中継端子部に確実に接続することができる。
【００３４】
なお、この実施例では、車載バッテリを例に簡易接続器の構成を説明したが、バッテリの用途はこれに限定されるものではない。また、各構成部品の形状、構造についても、本発明の思想を逸脱しない限りにおいて、適宜設計変更することが可能である。
【図面の簡単な説明】
【００３５】
【図１】本発明の一実施例に係るバッテリターミナル用簡易接続器の正面図。
【図２】上記簡易接続器の分解斜視図。
【図３】上記簡易接続器の使用形態を一部変更した分解斜視図。
【図４】バッテリ端子およびケーブル端子を簡易接続器に接続した状態の斜視図。
【図５】バッテリ端子およびケーブル端子を簡易接続器に接続した状態の正面図及び一部断面して示す正面図。
【図６】バッテリ端子およびケーブル端子を簡易接続器に接続した状態の別の使用態様を示す正面図及び一部断面して示す正面図。
【図７】上記簡易接続器の本体を示す平面図及び正面図。
【図８】上記簡易接続器に用いるカラーの平面図及び正面図。
【図９】上記簡易接続器に用いる押さえ部材の平面図及び正面図。
【図１０】上記簡易接続器に用いるスリーブの平面図及び正面図。
【図１１】上記簡易接続器に用いるスプリングの平面図及び正面図。
【符号の説明】
【００３６】
１…簡易接続器のベース、１ａ…ケーブル端子接続用中継端子部、１ｂ…バッテリ端子接続用中継端子部（環部）、２…雄ねじ、３…スリーブ、４…ばね、５…カラー、５ａ…スリット、６…押さえ部材、７…ナット、８…ボルト、２０…バッテリ、２１…バッテリ端子、３０…ケーブル端子、３１…ケーブル。
【図１】
2005122971.tif 000003
【図２】
2005122971.tif 000004
【図３】
2005122971.tif 000005
【図４】
2005122971.tif 000006
【図５】
2005122971.tif 000007
【図６】
2005122971.tif 000008
【図７】
2005122971.tif 000009
【図８】
2005122971.tif 000010
【図９】
2005122971.tif 000011
【図１０】
2005122971.tif 000012
【図１１】
2005122971.tif 000013